(57)【要約】【課題】本体のメンテナンスやトラブルの発生時に使用者が短時間で容易に解決策を把握することができることを目的とする。【解決手段】二次元バーコード５をルーバー３の表面４に設けことで、携帯端末６にて二次元バーコード５を読み込むとアクセス先情報が表示され、前記アクセス先情報へアクセスすると知りたい情報が携帯端末６に表示させ、ルーバー３の表面４の二次元バーコード５に携帯端末６をかざして二次元バーコード５を読み込ませて携帯端末６にアクセス先情報を表示させ目的とする前記アクセス先情報を選択することによって知りたい情報を携帯端末６に表示させ、本体２のメンテナンスやトラブルの発生時に使用者８が短時間で容易に解決策を把握することができる天井埋込形換気装置を得られる。【選択図】図１
2017138065.tif 000002
【特許請求の範囲】
【請求項１】
天井に取り付けできるフレーム開口を有する箱状のフレームと、
前記フレーム内に配設され遠心送風羽根を内包し下面に開口を有し側部に吐出口を有したケーシングと、
電動機に前記遠心送風羽根を設け、
前記フレーム開口を室内側から覆うルーバーを備えた本体に、
二次元バーコードを前記ルーバーの表面に設けたことを特徴とする天井埋込形換気装置。
【請求項２】
前記二次元バーコードを、前記ルーバーの表面の四隅のいずれかに設けることを特徴とする請求項１に記載の天井埋込形換気装置。
【請求項３】
前記本体と電気的に接続する壁スイッチに前記二次元バーコード設けたことを特徴とする請求項１に記載の天井埋込形換気装置。
【請求項４】
天井に取り付けできるフレーム開口を有する箱状のフレームと、
前記フレーム内に配設され遠心送風羽根を内包し下面に開口を有し側部に吐出口を有したケーシングと、
電動機に前記遠心送風羽根を設け、
前記フレーム開口を室内側から覆うルーバーを備えた本体に、
二次元バーコードを前記ルーバーの表面あるいは壁スイッチに設け、
携帯端末にて前記二次元バーコードを読み込むとアクセス先情報が表示され、前記アクセス先情報へアクセスすると知りたい情報が前記携帯端末に表示させることを特徴とする天井埋込形換気装置用取扱情報システム。
【発明の詳細な説明】
【技術分野】
【０００１】
本発明は、天井埋込形換気装置等の設備機器分野における取扱情報の取り出しに関するものである。
【背景技術】
【０００２】
従来、この種の取扱情報システムは、二次元バーコードを読み取ってエラーコードを携帯端末等の表示部に表示されるものが知られている（例えば、特許文献１参照）。
【先行技術文献】
【特許文献】
【０００３】
【特許文献１】特開２００４−２６５３１７号公報
【発明の概要】
【発明が解決しようとする課題】
【０００４】
このような従来の取扱情報システムは、設備機器が故障した場合に設備機器に設けた二次元バーコードを使用者が携帯電話等の携帯端末で読み込むとエラーコードが表示されそのエラーコードをメーカーへ電話等で知らせるが、使用者はそのエラーコードですぐに解決策を把握することができない、という課題を有していた。
【０００５】
そこで本発明は、上記従来の課題を解決するものであり、設備機器である天井埋込形換気装置等のメンテナンスやトラブルの発生時に使用者が短時間で容易に解決策を把握することができる天井埋込形換気装置と天井埋込形換気装置用取扱情報システムを提供することを目的とする。
【課題を解決するための手段】
【０００６】
そして、この目的を達成するために、本発明の手段は、
天井に取り付けできるフレーム開口を有する箱状のフレームと、
前記フレーム内に配設され遠心送風羽根を内包し下面に開口を有し側部に吐出口を有したケーシングと、
電動機に前記遠心送風羽根を設け、
前記フレーム開口を室内側から覆うルーバーを備えた本体に、
二次元バーコードを前記ルーバーの表面に設けた
ものであり、これにより所期の目的を達成するものである。
【発明の効果】
【０００７】
本発明によれば、
天井に取り付けできるフレーム開口を有する箱状のフレームと、
前記フレーム内に配設され遠心送風羽根を内包し下面に開口を有し側部に吐出口を有したケーシングと、
電動機に前記遠心送風羽根を設け、
前記フレーム開口を室内側から覆うルーバーを備えた本体に、
二次元バーコードを前記ルーバーの表面に設けた
ので、
携帯端末にて前記ルーバーの表面に設けた前記二次元バーコードを読み込むとアクセス先情報が表示され、前記アクセス先情報へアクセスすると知りたい情報を前記携帯端末に表示させ、目的とするアクセス先情報を選択することによって知りたい情報を携帯端末の画面に表示させることとなるので、本体のメンテナンスやトラブルの発生時に使用者が短時間で容易に解決策を把握することができる、という効果を得ることができる。
【図面の簡単な説明】
【０００８】
【図１】本発明の実施の形態１の天井埋込形換気装置と天井埋込形換気装置用取扱情報システムを示す斜視図（ａ）二次元バーコードを本体のみに設置し踏み台を使用し携帯端末をかざしたときの斜視図、（ｂ）ルーバーを本体から着脱するときの斜視図
【図２】同天井埋込形換気装置と天井埋込形換気装置用取扱情報システムの二次元バーコードを本体と壁スイッチとに設置したときの斜視図
【図３】同天井埋込形換気装置と天井埋込形換気装置用取扱情報システムの二次元バーコードを本体のみに設置し補助器具を使用し携帯端末をかざしたときの斜視図
【発明を実施するための形態】
【０００９】
本実施の形態の天井埋込形換気装置は、本体に二次元バーコードを設け、携帯端末にて前記二次元バーコードを読み込むとアクセス先情報が表示され、前記アクセス先情報へアクセスすると知りたい情報が前記携帯端末に表示させることを特徴とする取扱情報システムであって、天井裏に挿入して取り付けられ下面に室内側に臨むフレーム開口を有する箱状のフレームと、前記フレーム内に配設され遠心送風羽根を内包し下面に開口を有し側部に吐出口を有したケーシングと、電動機に前記遠心送風羽根を設け、前記フレーム開口を室内側から覆うルーバーを備え、二次元バーコードを前記ルーバーの表面に設けた、という構成を有する。これにより、ルーバーの表面に二次元バーコードを設け、携帯端末にてルーバーの表面に設けた前記二次元バーコードを読み込むとアクセス先情報が表示され、前記アクセス先情報へアクセスすると知りたい情報が前記携帯端末に表示させる、という構成にしたことにより、ルーバーの表面の二次元バーコードに携帯端末をかざして二次元バーコードを読み込ませて携帯端末の画面にアクセス先情報を表示させ、目的とするアクセス先情報を選択することによって知りたい情報を携帯端末の画面に表示させることとなるので、本体のメンテナンスやトラブルの発生時に使用者が短時間で容易に解決策を把握することができる、という効果を奏する。
【００１０】
また、
前記二次元バーコードを、前記ルーバーの表面の四隅のいずれかに設ける、
という構成にしたことにより、ルーバーの表面の二次元バーコードに携帯端末をかざして二次元バーコードを読み込ませて携帯端末の画面にアクセス先情報を表示させ目的とするアクセス先情報を選択することによって知りたい情報を携帯端末の画面に表示させることとなるので、本体のメンテナンスやトラブルの発生時に使用者が短時間で容易に解決策を把握することができルーバーを取り外す際の二次元バーコードの損傷防ぐことができる、という効果を奏する。
【００１１】
また、
前記本体と電気的に接続する壁スイッチに前記二次元バーコードを設けた
という構成にしたことにより、
壁スイッチに設けている二次元バーコードに携帯端末をかざして二次元バーコードを読み込ませて携帯端末の画面にアクセス先情報を表示させ目的とするアクセス先情報を選択することによって知りたい情報を携帯端末の画面に表示させることとなるので、本体のメンテナンスやトラブルの発生時に使用者が短時間で容易に解決策を把握することができ無理なく簡単に知りたい情報を携帯端末の画面に表示させる、という効果を奏する。
【００１２】
また、本実施の形態の天井埋込形換気装置用取扱情報システムは、
天井に取り付けできるフレーム開口を有する箱状のフレームと、
前記フレーム内に配設され遠心送風羽根を内包し下面に開口を有し側部に吐出口を有したケーシングと、
電動機に前記遠心送風羽根を設け、
前記フレーム開口を室内側から覆うルーバーを備えた本体に、
二次元バーコードを前記ルーバーの表面あるいは壁スイッチに設け、
携帯端末にて前記二次元バーコードを読み込むとアクセス先情報が表示され、前記アクセス先情報へアクセスすると知りたい情報が前記携帯端末に表示させる、
という構成にしたことにより、ルーバーの表面あるいは壁スイッチに二次元バーコードを設け、携帯端末にてルーバーの表面あるいは壁スイッチに設けた前記二次元バーコードを読み込むとアクセス先情報が表示され、前記アクセス先情報へアクセスすると知りたい情報が前記携帯端末に表示させること、という構成にしたことにより、ルーバーの表面の二次元バーコードに携帯端末をかざして二次元バーコードを読み込ませて携帯端末の画面にアクセス先情報を表示させ目的とするアクセス先情報を選択することによって知りたい情報を携帯端末の画面に表示させることとなるので、本体のメンテナンスやトラブルの発生時に使用者が短時間で容易に解決策を把握することができる、という効果を奏する。
【００１３】
以下、本発明の実施の形態について図面を参照しながら説明する。
【００１４】
（実施の形態１）
図１に示すように、天井１の裏に設置された本体２のルーバー３の表面４に二次元バーコード５（登録商標ではＱＲコード）を設ける。
【００１５】
設ける方法としては、二次元バーコード５自体をルーバー３に貼る（印刷しても良い）。
【００１６】
そして、使用者（例えば主婦）８が容易にルーバー３に手が届く高さまで踏み台９（例えばイスやテーブル等）に上がり携帯端末６（携帯電話、スマートフォン、タブレット等）を二次元バーコード５にかざして読み込むとアクセス先のインターネットのアドレス情報すなわちアクセス先情報（図示せず）が表示される。
【００１７】
そして、アクセス先情報へアクセスすると例えば天井埋込形換気扇である本体２のお手入れやトラブル時の対応等すぐに知りたい情報を即時に携帯端末６の表示部７に表示させることができる。
【００１８】
これにより、本体２のルーバー３の二次元バーコード５に携帯端末６をかざして二次元バーコード５を読み込ませて携帯端末６の表示部７にアクセス先情報を表示させ目的とするアクセス先情報を選択することによって知りたい情報を携帯端末６の表示部７に表示させることとなる。
【００１９】
そうすることで、ルーバー３に汚れが付着したときのメンテナンスや本体２の内部からの異音等のトラブルの発生時に使用者８が短時間で容易に解決策を把握することができる。
【００２０】
また、二次元バーコード５を、ルーバー３の表面４の四隅１０のいずれかに設ける。
【００２１】
そうすることで、ルーバー３の四隅１０のいずれかに二次元バーコード５を設ける。そして、携帯端末６にて二次元バーコード５を読み込むとアクセス先情報が表示され、前記アクセス先情報へアクセスすると知りたい情報が携帯端末６に表示させることで、ルーバー３の表面４の二次元バーコード５に携帯端末６をかざして二次元バーコード５を読み込ませて携帯端末６に前記アクセス先情報を表示させ目的とする前記アクセス先情報を選択することによって知りたい情報を携帯端末６に表示させる。
【００２２】
よって、本体２のメンテナンスやトラブルの発生時に使用者８が短時間で容易に解決策を把握することができる。
【００２３】
ルーバー３を取り外す際の使用者８は、ルーバー３の対向する両辺１１の中央を両手で掴んで取り外すので四隅１０のいずれかに配置されている二次元バーコード５に手が接触せず二次元バーコード５の損傷防ぐことができる。
【００２４】
また、図２に示すように、本体２と電気的に接続する壁スイッチ１２に二次元バーコード５を貼って設ける。
【００２５】
見やすく操作しやすい位置にある壁スイッチ１２に二次元バーコード５を例えば貼って設け、携帯端末６にて二次元バーコード５を読み込むとアクセス先情報が表示され、前記アクセス先情報へアクセスすると知りたい情報が携帯端末６に表示させること、という構成にしたことにより、壁スイッチ１２の表面１３の二次元バーコード５に携帯端末６をかざして二次元バーコード５を読み込ませて携帯端末６にアクセス先情報を表示させ目的とするアクセス先情報を選択することによって知りたい情報を携帯端末６に表示させる。
【００２６】
そうすることで、本体２のメンテナンスやトラブルの発生時に使用者が短時間で踏み台９（図１参照）を準備しなくても容易に解決策を把握することができ無理なく簡単に知りたい情報を携帯端末の画面に表示させることができる。
【００２７】
なお、図３に示すように、使用者８（例えば主婦）は携帯端末６を棒状の補助器具１４の一方に取り付ける。そして、もう一方を使用者８が持ち、携帯端末６を高所にあるルーバー３の二次元バーコード５にかざして読み込むとアクセス先のインターネットのアドレス情報すなわちアクセス先情報（図示せず）が表示される。
【００２８】
そうすることで、安全にお手軽にルーバー３に汚れが付着したときの本体２のメンテナンスや本体２の内部からの異音等のトラブル等の発生時に使用者８が短時間で容易に解決策を把握することができる。
【００２９】
具体的なシステムは、例えば、携帯端末６であるスマートフォンをかざして二次元バーコード５を読み込むと情報が保管されているサーバー（図示せず）のアクセス先情報のアドレスが表示され、前記アクセス先情報のアドレスをタップしてアクセスすると知りたい情報であるホーム画面を携帯端末６に表示させる、というシステムである。
【産業上の利用可能性】
【００３０】
本発明にかかる取扱情報システムおよびそれを用いた天井埋込形換気装置は、設備機器全般にメンテナンスやトラブルの発生時に使用者が短時間で容易に解決策を把握することができることを可能とするものであるので、天井埋込形換気装置等の換気設備として有用である。
【符号の説明】
【００３１】
１    天井
２    本体
３    ルーバー
４    表面
５    二次元バーコード
６    携帯端末
７    表示部
８    使用者
９    踏み台
１０    四隅
１１    両辺
１２    壁スイッチ
１３    表面
１４    補助器具
【図１】
2017138065.tif 000003
【図２】
2017138065.tif 000004
【図３】
2017138065.tif 000005